(57)【要約】【課題】消費電力をより低減可能な移動局装置を提供する。【解決手段】移動局装置１は、第１の周期ごとの一定期間に、基地局装置からの無線信号を受信するアイドルモードの実行中において、無線信号に含まれる呼び出し信号を抽出し、呼び出し信号を解析することにより自装置宛ての着信が有るか否か判定するページング処理部１１３と、アイドルモードの実行中において、第１の周期で受信した無線信号のうち、第１の周期の複数倍である第２の周期で受信した無線信号の品質を測定し、一方、第１の周期で受信した無線信号のうち、第２の周期から外れたタイミングで受信した無線信号の品質を測定しない信号品質測定部１１４とを有する。【選択図】図３
2013077994.tif 000002
【特許請求の範囲】
【請求項１】
基地局装置と無線通信する移動局装置であって、
第１の周期ごとの一定期間に、前記基地局装置からの無線信号を受信するアイドルモードの実行中において、該無線信号に含まれる呼び出し信号を抽出し、該呼び出し信号を解析することにより自装置宛ての着信が有るか否か判定するページング処理部と、
前記アイドルモードの実行中において、前記第１の周期で受信した前記無線信号のうち、前記第１の周期の複数倍である第２の周期で受信した無線信号の品質を測定し、一方、前記第１の周期で受信した前記無線信号のうち、前記第２の周期から外れたタイミングで受信した無線信号の品質を測定しない信号品質測定部と、
を有する移動局装置。
【請求項２】
前記移動局装置を制御する主制御部と、
前記主制御部がサスペンド状態である場合における前記信号品質測定部による前記無線信号の品質測定の頻度を、前記主制御部がサスペンド状態でない場合における前記信号品質測定部による前記無線信号の品質測定の頻度よりも少なくする通信制御部とをさらに有する、
請求項１に記載の移動局装置。
【請求項３】
前記通信制御部は、前記主制御部がサスペンド状態である場合、前記信号品質測定部による前記無線信号の品質測定を停止させる、請求項２に記載の移動局装置。
【請求項４】
基地局装置と無線通信する移動局装置における、前記基地局装置から受信した無線信号の品質測定方法であって、
第１の周期ごとの一定期間に、前記基地局装置からの無線信号を受信するアイドルモードの実行中において、該無線信号に含まれる呼び出し信号を抽出し、該呼び出し信号を解析することにより自装置宛ての着信が有るか否か判定し、
前記アイドルモードの実行中において、前記第１の周期で受信した前記無線信号のうち、前記第１の周期の複数倍である第２の周期で受信した無線信号の品質を測定し、一方、前記第１の周期で受信した前記無線信号のうち、前記第２の周期から外れたタイミングで受信した無線信号の品質を測定しない、
ことを含む無線信号品質測定方法。
【発明の詳細な説明】
【技術分野】
【０００１】
本発明は、例えば、基地局装置から一定周期で特定の無線信号が送信されている間だけ、基地局装置からの無線信号を受信するよう設定可能な移動局装置、及びそのような移動局装置で用いられる無線信号品質測定方法に関する。
【背景技術】
【０００２】
近年、基地局装置と移動局装置との間で無線通信する移動体通信システムが普及している。移動体通信システムでは、移動局装置は内蔵された電源から供給される電力を用いて動作するので、移動局装置の電力消費量は少ないほど好ましい。
【０００３】
そこで、移動局装置が基地局装置を介してデータを送受信していない待機状態にあるときに、移動局装置が有する回路の一部への電力供給を停止することで、移動局装置の電力消費を抑制する技術が利用されている（例えば、特許文献１及び２を参照）。特許文献１及び２に開示された技術では、一定周期にて、移動局装置が特定の基地局装置からの呼び出し信号を受信する間だけ、その受信に関連する回路に電力が供給される。呼び出し信号を受信する間だけ、その受信に関連する回路に電力を供給する移動局装置の運用モードは、例えば、無線通信技術に関する規格の一つであるWorldwide Interoperability for Microwave Access(WiMAX)では、アイドルモードと呼ばれる。
【先行技術文献】
【特許文献】
【０００４】
【特許文献１】特開２００２−６４４０８号公報
【特許文献２】特表２００９−５３５９３８号公報
【発明の概要】
【発明が解決しようとする課題】
【０００５】
移動局装置の消費電力は少ないほど、その使用可能時間が長くなり、あるいは、移動局装置が内蔵する電源は小型化できる。そのため、移動局装置の消費電力を低減させる技術が要望されている。
【０００６】
そこで、本明細書は、消費電力を低減可能な移動局装置を提供することを目的とする。
【課題を解決するための手段】
【０００７】
一つの実施形態によれば、基地局装置と無線通信する移動局装置が提供される。この移動局装置は、第１の周期ごとの一定期間に、基地局装置からの無線信号を受信するアイドルモードの実行中において、無線信号に含まれる呼び出し信号を抽出し、呼び出し信号を解析することにより自装置宛ての着信が有るか否か判定するページング処理部と、アイドルモードの実行中において、第１の周期で受信した無線信号のうち、第１の周期の複数倍である第２の周期で受信した無線信号の品質を測定し、一方、第１の周期で受信した無線信号のうち、第２の周期から外れたタイミングで受信した無線信号の品質を測定しない信号品質測定部とを有する。
【０００８】
本発明の目的及び利点は、請求項において特に指摘されたエレメント及び組み合わせにより実現され、かつ達成される。
上記の一般的な記述及び下記の詳細な記述の何れも、例示的かつ説明的なものであり、請求項のように、本発明を限定するものではないことを理解されたい。
【発明の効果】
【０００９】
本明細書に開示された移動局装置は、消費電力を低減できる。
【図面の簡単な説明】
【００１０】
【図１】一つの実施形態による移動局装置の構成図である。
【図２】フレームの一例の構成図である。
【図３】データ通信デバイスの構成図である。
【図４】（ａ）は、プロセッサがサスペンド状態でない場合における、呼び出し信号の受信タイミングと無線信号の品質測定のタイミングの関係の一例を示す図である。（ｂ）は、プロセッサがサスペンド状態である場合における、呼び出し信号の受信タイミングと無線信号の品質測定のタイミングの関係の一例を示す図である。
【図５】アイドルモード実行中における、無線信号の受信処理の動作フローチャートである。
【発明を実施するための形態】
【００１１】
以下、図を参照しつつ、一つの実施形態による、移動局装置について説明する。
従来技術による移動局装置は、アイドルモードの実行中において、呼び出し信号を含む無線信号を受信する度に、その無線信号の品質を測定する。例えば、モバイルWiMAXに準拠した移動局装置は、無線信号の品質を表す指標として、例えば、受信信号強度(Receive Signal Strength Indication、RSSI)または搬送波対干渉・雑音比(Carrier-to-Interference-plus-Noise Ratio、CINR)を測定する。そして測定された無線信号の品質は、例えば、ユーザにその信号品質を通知するために、移動局装置が有する表示装置上に無線信号の受信状態を表す記号、例えば、いわゆるアンテナマークによって表される。呼び出し信号を受信する周期は、例えば、1.28秒に設定される。以下では、呼び出し信号の受信周期をページング周期と呼ぶ。
【００１２】
しかし、アイドルモードでは、無線信号の品質の測定結果は、主としてユーザに通知するために利用されるだけであり、ページング周期ほど短い間隔で無線信号の品質を測定しなくても、移動局装置の運用に支障はない。
【００１３】
そこで、本明細書に開示される移動局装置は、アイドルモードの実行中、ページング周期の複数倍の周期で基地局装置から受信した無線信号の品質を測定する。この移動局装置は、無線信号の品質を測定する回数を減らすことで、消費電力を低減する。さらに、この移動局装置全体を制御する主制御装置がサスペンド状態にある場合、この移動局装置は、呼び出し信号を含む無線信号を受信したときも、無線信号の品質を測定しないことで、さらに消費電力を低減する。
【００１４】
図１は、一つの実施形態による移動局装置１の構成図である。この移動局装置１は、例えば、いわゆるスマートフォン、携帯情報端末、モバイルルータあるいはタブレットPCであり、内蔵電源から供給される電力にて動作する、携帯可能な無線端末である。移動局装置１は、ユーザインターフェース部２と、インターフェース部３と、記憶部４と、データ通信デバイス５と、音声通信部６と、プロセッサ７と、クロック制御部８と、電源９と、電源制御部１０とを有する。移動局装置１が有するこれらの各部は、筺体（図示せず）内に収容される。プロセッサ７と、ユーザインターフェース部２、インターフェース部３及び記憶部４は、例えば、データバス及び制御線を介して接続されている。またデータ通信デバイス５及び音声通信部６は、それぞれ、General Purpose Input/Output(GPIO)端子及びSecure Digital Input/Output(SDIO)端子を介して、プロセッサ７と接続される。移動局装置１は、さらに、スピーカ、マイクロホン及びカメラを有していてもよい。なお移動局装置１がタブレットPCまたはモバイルルータの場合、音声通信部６を備えていなくてもよい。
【００１５】
ユーザインターフェース部２は、例えば、液晶ディスプレイなどの表示装置と、複数のボタンスイッチを有する入力装置とを有する。あるいは、ユーザインターフェース部２は、表示装置と入力装置とが一体化された、タッチパネルディスプレイを有してもよい。ユーザインターフェース部２は、プロセッサ７から受け取った表示用の情報を表示装置上に表示する。またユーザインターフェース部２は、ユーザによる入力装置の操作に応じた入力信号をプロセッサ７へ渡す。
【００１６】
インターフェース部３は、例えば、移動局装置をコンピュータまたはプリンタなどの他の機器と接続する。そのために、インターフェース部３は、例えば、High Speedモードに対応可能なUniversal Serial Bus(USB)といったシリアルバス規格に従ったインターフェース回路を有する。そしてインターフェース部３は、プロセッサ７から受け取った画像信号といったデータ信号を、インターフェース部３に接続された他の機器へ出力する。あるいは、インターフェース部３は、他の機器から受け取ったデータ信号をプロセッサ７に渡す。
【００１７】
記憶部４は、例えば、不揮発性の半導体メモリ回路及び揮発性の半導体メモリ回路を有する。そして記憶部４は、移動局装置１上で動作する様々なアプリケーションプログラム、移動局装置１が受け取った様々なデータなどを記憶する。
【００１８】
データ通信デバイス５は、移動局装置１とデータ通信用の基地局装置（図示せず）との間で、無線にてパケット単位でデータ通信するための回路を有する。本実施形態では、データ通信デバイス５は、IEEE 802.16e-2005として規定されているモバイルWiMAXあるいはIEEE 802.16mとして規定されているWiMAX2に準拠して、基地局装置との間で無線通信する。そしてデータ通信デバイス５は、移動局装置１がデータ通話の実行中、プロセッサ７から受け取ったデータ信号を含む無線信号を基地局装置へ送信し、一方、基地局装置から受信した無線信号からデータ信号を抽出してプロセッサ７へ渡す。
【００１９】
データ通信デバイス５は、プロセッサ７に対して自律的に動作可能となっている。そのため、移動局装置１が、その全体が動作可能な通常状態となっている場合だけでなく、移動局装置１が直前の通常状態へ復帰可能な最小限の機能の動作しかしないサスペンド状態となっている場合にも、データ通信デバイス５は動作可能である。なお、データ通信デバイス５の詳細については後述する。
【００２０】
音声通信部６は、移動局装置１と音声通話用の基地局装置（図示せず）との間で、無線にて通信する。そのために、音声通信部６は、携帯電話システムの規格、例えば、Wideband Code Division Multiple Access(W-CDMA)あるいはCDMA2000 1xなどに従って動作する無線通信用の回路を有する。そして音声通信部６は、移動局装置１が音声通話の実行中、プロセッサ７から受け取った音声信号を含む無線信号を基地局装置へ送信し、一方、基地局装置から受信した無線信号から音声信号を抽出してプロセッサ７へ渡す。
【００２１】
プロセッサ７は、主制御部の一例であり、移動局装置１全体を制御する。またプロセッサ７は、例えば、ユーザの操作による入力信号に従ってアプリケーションプログラムを実行する。プロセッサ７は、そのアプリケーションプログラムに従って無線にてデータ通信する場合、基地局装置からの無線信号に含まれるデータをデータ通信デバイス５を介して受け取る。またプロセッサ７は、基地局装置へ送信するデータをデータ通信デバイス５へ渡す。またプロセッサ７は、音声通話の実行中、マイクロホンを介して入力された音声信号を音声通信部６へ渡し、一方、基地局装置から受信した無線信号に含まれる音声信号を音声通信部６から受け取る。
【００２２】
さらに、プロセッサ７は、移動局装置１の消費電力を低減するために、サスペンド状態へ移行するか否か判定する。サスペンド状態では、例えば、ユーザインターフェース部２のディスプレイへの電力供給が停止される。またプロセッサ７も、サスペンド状態から、サスペンド状態が開始される直前の通常状態へ復帰するか否かを判定する処理以外の処理を停止する。
【００２３】
例えば、プロセッサ７は、以下の(i)〜(v)の条件が全て満たされた場合に、サスペンド状態へ移行する。
(i)一定期間に渡ってユーザインターフェース部２からの入力信号が無い。
(ii)一定期間に渡ってユーザインターフェース部２へ表示させる情報が変化しない。
(iii)プロセッサ７上で動作中のアプリケーションプログラムがない。
(iv)音声通信部６を介して音声通話中でない。
(v)データ通信デバイス５を介してデータ通信中でない。
なお、上記の一定期間は、例えば、5分間〜10分間に設定される。また、移動局装置１が音声通信部６を有さない場合、プロセッサ７がサスペンド状態へ移行するための上記の条件のうち、(iv)の条件は除外されてもよい。
【００２４】
また、プロセッサ７がサスペンド状態にある場合において、ユーザインターフェース部２にユーザがタッチする、あるいは特定のボタンを押下するといった特定の操作がなされると、プロセッサ７は通常状態へ復帰する。あるいは、データ通信デバイス５または音声通信部６が、自装置宛ての着信があることを基地局装置から通知された場合も、プロセッサ７は通常状態へ復帰する。
【００２５】
クロック制御部８は、例えば、発振周期が可変な発振回路を有し、プロセッサ７に対して通常状態におけるクロック周波数とサスペンド状態におけるクロック周波数とが異なるクロック信号を供給する。通常状態におけるクロック周波数は、例えば、数100MHz〜1GHzである。クロック制御部８は、プロセッサ７からサスペンド状態へ移行ことを通知されると、クロック周波数を、通常状態におけるクロック周波数よりも遅くする。またクロック制御部８は、プロセッサ７から、サスペンド状態から通常状態へ復帰することを通知されると、クロック周波数を通常状態における周波数に変更する。
【００２６】
電源９は、移動局装置１に内蔵される電源であり、例えば、リチウムイオン電池である。そして電源９から供給される電力は、電源制御部１０を介して移動局装置１の各部に供給される。
電源制御部１０は、プロセッサ７からの制御信号に応じて、電源９から供給された電力を移動局装置１の各部に供給または停止するためのスイッチング回路を有する。例えば、通常状態では、電源制御部１０は、移動局装置１の各部のうち、電力供給を必要とするもの全てへ電力を供給する。一方、サスペンド状態では、電源制御部１０は、移動局装置１の各部のうち、通常状態へ復帰させるために必要なものにだけ電力を供給する。
【００２７】
次に、データ通信デバイス５について説明する。データ通信デバイス５は、データ通信用の基地局装置から、直交周波数分割多元接続(Orthogonal Frequency Division Multiple Access, OFDMA)方式に従って多重化されたダウンリンク信号を含む無線信号を受信する。一方、データ通信デバイス５は、直交周波数分割多重(Orthogonal Frequency Division Multiplexing, OFDM)方式に従って多重化されたアップリンク信号を含む無線信号を送信する。データ通信デバイス５と基地局装置とは、例えば、時分割複信(Time Division Duplexing, TDD)方式に従って、ダウンリンク信号を含む無線信号とアップリンク信号を含む無線信号とを、フレーム単位で交互に送受信する。
【００２８】
図２は、フレームの一例の構成図である。図２において、横軸は時間を表し、縦軸は周波数を表す。フレーム２００は、基地局装置から移動局装置１へ送信されるダウンリンクのサブフレーム２１０と、移動局装置１から基地局装置へ送信されるアップリンクのサブフレーム２２０とを含む。サブフレーム２１０とサブフレーム２２０とは、Transmit Transition Gap(TTG)とReceive Transition Gap(RTG)により区切られている。一つのフレーム２００の長さは、例えば、5ミリ秒である。
【００２９】
ダウンリンクのサブフレーム２１０は、プリアンブル２１１と、フレーム制御ヘッダ(Frame Control Header, FCH)２１２と、ダウンリンクマップ(DL-MAP)２１３と、アップリンクマップ(UL-MAP)２１４と、複数のダウンリンクバースト２１５−１〜２１５−ｊ(jは2以上の整数)を含む。
【００３０】
プリアンブル２１１は、移動局装置１が既知のシンボルを含み、例えば、移動局装置１が同期処理を行ったり、無線信号の品質を測定するために利用される。FCL２１２は、DL-MAPメッセージの長さ、使用されている誤り訂正符号の方式などを表す情報を含む。DL-MAP２１３は、物理層の同期情報、基地局装置の識別子、ダウンリンクのサブフレーム２１０に含まれるOFDMシンボル数、及び、各ダウンリンクバーストがデータを含むのか、または制御情報を含むのかを表す情報を含む。UL-MAP２１４は、フレーム内のアップリンクのサブフレーム２２０の開始位置、サブフレーム２２０に含まれるOFDMシンボル数、及び、各アップリンクバーストがデータを含むのか、または制御情報を含むのかを表す情報を含む。各ダウンリンクバーストは、それぞれ、基地局装置から移動局装置１へ転送されるデータのブロックを表す。例えば、呼び出し信号は、何れかのダウンリンクバーストに含まれる。
【００３１】
一方、アップリンクのサブフレーム２２０は、レンジングサブチャネル２２１と、複数のアップリンクバースト２２２−１〜２２２−ｋ(kは2以上の整数)を含む。レンジングサブチャネル２２１は、レンジングまたは帯域要求に関する情報を含む。各アップリンクバーストは、それぞれ、移動局装置１から基地局装置へ転送されるデータのブロックを表す。
【００３２】
図３は、データ通信デバイス５の構成図である。データ通信デバイス５は、ベースバンド処理部１１と、無線処理部１２と、２本のアンテナ１３−１、１３−２と、通信制御部１４と、電源制御部１５とを有する。ベースバンド処理部１１、無線処理部１２、通信制御部１４及び電源制御部１５は、それぞれ、別個の回路であってもよく、あるいは、これらの各部は、それら回路が集積された一つの集積回路であってもよい。
【００３３】
ベースバンド処理部１１は、ベースバンド周波数を持つアップリンク信号及びダウンリンク信号に対する処理を実行する。そのために、ベースバンド処理部１１は、アップリンク信号を処理する送信信号処理部１１１と、ダウンリンク信号を処理する受信信号処理部１１２とを有する。
送信信号処理部１１１は、アップリンク信号に対して畳込み符号化あるいはターボ符号化などの誤り訂正用符号化処理などの送信処理を実行する。さらに送信信号処理部１１１は、符号化されたアップリンク信号を所定の変調方式に従って変調するとともに、OFDM方式に従ってアップリンク信号を多重化することで、上記のアップリンクのサブフレームを作成する。送信信号処理部１１１は、アップリンクのサブフレームを無線処理部１２へ出力する。
【００３４】
受信処理部１１２は、無線処理部１２から受信したダウンリンクのサブフレームに含まれる、個々のダウンリンク信号を復調する。そして受信処理部１１２は、復調されたダウンリンク信号に対して誤り訂正復号処理を実行する。そして受信処理部１１２は、復号されたダウンリンク信号をプロセッサ７へ出力する。
なお、基地局装置がMuItiple input multiple output(MIMO)技術に従って複数のアンテナからダウンリンク信号を送信していることがある。この場合には、受信処理部１１２は、個々のダウンリンク信号を復調する前に、アンテナ１３−１、１３−２のそれぞれで同時に受信したダウンリンク信号の組に対して、例えば最小平均二乗誤差法あるいは最尤推定法に従って、信号分離処理を行う。
【００３５】
さらに受信処理部１１２は、アイドルモードの実行中に自装置宛ての着信が有るか否かを判定するページング処理を実行するページング処理部１１３と、基地局装置から受信した無線信号の品質を測定する信号品質測定部１１４とを有する。
ページング処理部１１３は、通信制御部１４からウェイクアップしたことを通知され、電力供給が開始されると、基地局装置から受信した無線信号に含まれるダウンリンクのサブフレームから呼び出し信号を抽出する。そしてページング処理部１１３は、呼び出し信号を解析して、自装置宛ての信号が有るか否か判定する。例えば、呼び出し信号は、モバイルWiMAXまたはWiMAX2では、報知チャネルを通じて送信される、MOB-PAG-ADVメッセージである。ページング処理部１１３は、MOB-PAG-ADVメッセージに含まれる、移動局のMedia Access Control(MAC)アドレスハッシュ値のうち、自装置に対応するMACアドレスハッシュ値を抽出する。そしてページング処理部１１３は、抽出したMACアドレスハッシュ値に対応するアクションコードを参照して、自装置宛ての着信があるか否か判定する。そしてページング処理部１１３は、その判定結果を通信制御部１４へ通知する。
【００３６】
信号品質測定部１１４は、例えば、通信制御部１４から指示されたタイミングで、基地局装置から受信した無線信号の品質を測定する。特に、信号品質測定部１１４は、アイドルモードの実行中において、移動局装置１が属するセルを管理する基地局装置からの無線信号の品質を測定する。また、信号品質測定部１１４は、アクティブモードの実行中、移動局装置１が属するセルを管理する基地局装置からの無線信号の品質だけでなく、隣接するセルを管理する基地局装置からの無線信号の品質を測定してもよい。本実施形態では、信号品質測定部１１４は、無線信号の品質を表す指標としてRSSI及びCINRを求める。なお、信号品質測定部１１４は、基地局装置から受信した無線信号の品質を表す指標として、CINRの代わりに、信号対干渉・雑音比を求めてもよい。
【００３７】
信号品質測定部１１４は、信号品質測定用の複数のフレームのそれぞれに含まれるプリアンブル信号の強度を測定し、その強度の平均値をRSSIとして求める。
また信号品質測定部１１４は、信号品質測定用の複数のフレームのそれぞれに含まれるプリアンブル信号の電力及びプリアンブル信号を受信した期間中の全ての信号電力を測定する。信号品質測定部１１４は、全ての信号電力からプリアンブル信号の電力を減算することにより、干渉成分及び雑音成分の電力を求める。信号品質測定部１１４は、プリアンブル信号の電力を干渉成分及び雑音成分の電力で割ることにより、CINRを求める。
さらに信号品質測定部１１４は、次式に従って時間軸方向にCINRを平滑化してもよい。
【数１】
2013077994.tif 000003
CINRtは、最新の測定時におけるCINRの値であり、CINRt-1は、前回の測定時におけるCINRの値である。αは忘却係数であり、例えば、0.2〜0.4に設定される。CINRavgは、平滑化されたCINRの値である。このように、CINRを平滑化し、平滑化されたCINR値を通信制御部１４へ出力することにより、信号品質測定部１１４は、測定誤差によるCINR値のバラツキを抑制できる。その結果、移動局装置１が有するユーザインターフェース部２の表示装置に表示される受信状態を表す指標も、CINRの測定誤差によって急激に変動することが抑制される。
信号品質測定部１１４は、RSSI及びCINRの測定値を通信制御部１４へ通知する。
【００３８】
無線処理部１２は、送信部１２１と受信部１２２とを有する。
送信部１２１は、ベースバンド処理部１１の送信信号処理部１１１から受け取ったアップリンクのサブフレームをデジタル／アナログ変換した後、無線周波数を持つ搬送波に重畳する。そして送信部１２１は、搬送波に重畳されたアップリンクのサブフレームをハイパワーアンプ（図示せず）により増幅した後、デュプレクサ（図示せず）を介してアンテナ１３−１へ出力する。そしてアンテナ１３−１は、アップリンクのサブフレームを無線信号として放射する。
【００３９】
受信部１２２は、アンテナ１３−１により受信されたダウンリンクのサブフレームを含む無線信号をデュプレクサを介して受け取る。また受信部１２２は、アンテナ１３−２により受信されたダウンリンクのサブフレームを含む無線信号を受け取る。そして受信部１２２は、その二つのアンテナからそれぞれ受け取ったダウンリンクのサブフレームのうち、信号強度が強い方を選択する。そして受信部１２２は、選択したサブフレームを低ノイズアンプにより増幅し、その増幅されたサブフレームに局部発信周波数を持つ周期信号を重畳することにより、ダウンリンクのサブフレームの周波数を無線周波数からベースバンド周波数に変換する。そして受信部１２２は、ベースバンド周波数を持つダウンリンクのサブフレームをアナログ／デジタル変換した後、ベースバンド処理部１１の受信処理部１１２に渡す。
あるいは、基地局装置がMIMO技術に従って、複数のアンテナからダウンリンクのサブフレームを送信している場合には、受信部１２２は、各アンテナで受信したダウンリンクのサブフレームに対して、それぞれ増幅、周波数変換及びデジタル／アナログ変換を行った後、受信処理部１１２に渡す。
【００４０】
通信制御部１４は、少なくとも一つのプロセッサ及びメモリを有する。そして通信制御部１４は、移動局装置１が基地局装置と無線通信を開始する際、例えば、モバイルWiMAXまたはWiMAX2に規定された手順に従って接続設定処理を実行する。また通信制御部１４は、移動局装置１と基地局装置との間でデータが送受信されている状態であるアクティブモードの実行中、ハンドオーバ、送信電力制御、及びアップリンク信号の変調方式の決定などを実行する。
【００４１】
さらに、通信制御部１４は、プロセッサ７から、あるいは基地局装置からアイドルモードへ移行させる制御信号を受け取ると、モバイルWiMAXまたはWiMAX2に規定された手順に従って、アイドルモードへの移行処理を実行する。具体的には、通信制御部１４は、基地局装置へ、登録解除要求(DREG-REQ)メッセージを送信し、基地局装置から登録解除命令(DREG-CMD)メッセージを受け取ることで、アイドルモード中の動作に必要な情報を基地局装置と交換する。そして通信制御部１４は、アイドルモードを開始する。
アイドルモードの実行中、通信制御部１４は、ページング処理をページング処理部１１３に実行させる。また、アイドルモードの実行中、通信制御部１４は、プロセッサ７がサスペンド状態でない場合に限り、信号品質測定部１１４に、基地局装置から受信した無線信号の品質を測定させる。
【００４２】
図４（ａ）は、プロセッサ７がサスペンド状態でない場合における、呼び出し信号の受信タイミングと無線信号の品質測定のタイミングの関係の一例を示す図である。図４（ｂ）は、プロセッサ７がサスペンド状態である場合における、呼び出し信号の受信タイミングと無線信号の品質測定のタイミングの関係の一例を示す図である。図４（ａ）及び図４（ｂ）において、横軸は時間を表す。
【００４３】
図４（ａ）に示されるように、プロセッサ７がサスペンド状態でない場合、移動局装置１は、基地局装置との間で予め取り決めたページング周期Pごとに、基地局装置との間で予め取り決めたリスニングインターバルの期間、ダウンリンクのサブフレームを複数含む無線信号４００を受信する。その無線信号４００は、同期処理に用いられるサブフレームを含む同期フレーム４０１と、呼び出し信号を含むページングフレーム４０２とを含む。
ページング処理部１１３は、無線信号４００を受信すると、例えば、同期フレーム４０１に含まれるプリアンブルに基づいて同期処理を実行する。ページング処理部１１３は、ページングフレーム４０２に含まれるダウンリンクのサブフレーム内のDL-MAPを参照して、呼び出し信号が含まれるバーストを特定する。ページング処理部１１３は、上記のように、呼び出し信号を解析して、自装置宛ての着信が有るか否か判定する。
【００４４】
さらに、移動局装置１は、ページング周期Pの複数倍である測定周期Mごとに、ダウンリンク信号４００から、ページングフレーム４０２に後続する、無線信号の品質測定に用いられる複数の測定用フレーム４０３を受信する。例えば、ページング周期Pが1.28秒であれば、測定周期Mは、ページング周期Pの4倍である5.12秒、あるいはページング周期Pの8倍である10.24秒に設定される。信号品質測定部１１４は、例えば、測定用フレーム４０３に含まれるダウンリンクのサブフレーム内のプリアンブルに基づいて、受信した無線信号の品質を測定する。
【００４５】
図４（ｂ）に示されるように、プロセッサ７がサスペンド状態である場合も、移動局装置１は、基地局装置との間で予め取り決めたページング周期Pごとに、同期フレーム４０１とページングフレーム４０２とを含む無線信号４００を受信する。そしてページング処理部１１３は、無線信号４００を受信する度に、同期処理及び自装置宛ての着信があるか否かを判定する。しかしこの場合には、通信制御部１４は、信号品質測定部１１４による受信した無線信号の品質測定を停止させる。
【００４６】
図５は、通信制御部１４により制御される、無線信号測定処理の一例である、アイドルモード実行中における無線信号の受信処理の動作フローチャートである。通信制御部１４は、ページング周期Pが経過する度に、この受信処理を実行する。
【００４７】
通信制御部１４は、プロセッサ７がサスペンド状態か否か判定する（ステップＳ１０１）。例えば、通信制御部１４は、GPIO端子を介して、プロセッサ７からサスペンド状態へ移行したことを通知するサスペンド情報を受信すると、プロセッサ７がサスペンド状態であることを表すサスペンドフラグを通信制御部１４のメモリに記憶しておく。そして通信制御部１４は、サスペンドフラグがメモリに記憶されていれば、プロセッサ７がサスペンド状態にあると判定する。なお、通信制御部１４は、例えば、プロセッサ７からその後通常状態に復帰したことを通知する情報をGPIO端子を介して受信すると、サスペンドフラグを消去する。
【００４８】
また、通信制御部１４とプロセッサ７との間に、それぞれと接続される通信用レジスタ（図示せず）が設けられている場合、通信制御部１４は、SDIO端子を介してプロセッサ７から受け取る信号があるか否かにより、プロセッサ７がサスペンド状態か否かを判定してもよい。例えば、プロセッサ７は、通常状態にある場合には、一定期間ごとに通信用レジスタにアクセスし、通信制御部１４から通信用レジスタに何らかのコマンドが書き込まれていると、通信用レジスタからそのコマンドを読み込む。プロセッサ７は、読み込んだコマンドに応じて、通信制御部１４と接続されるSDIO端子を通じて通信制御部１４に割り込み要求信号を送る。一方、サスペンド状態にある場合には、プロセッサ７は、通信用レジスタにアクセスしない。したがって、通信制御部１４は、通信用レジスタにコマンドを書き込んでから一定期間が過ぎても、プロセッサ７から割り込み要求信号を受け取らなければ、プロセッサ７はサスペンド状態にあると判定できる。
【００４９】
プロセッサ７がサスペンド状態であれば（ステップＳ１０１−Ｙｅｓ）、通信制御部１４は、無線処理部１２の受信部１２２及びベースバンド処理部１１の受信信号処理部１１２をウェイクアップさせて、基地局装置から呼び出し信号を含む無線信号を受信する（ステップＳ１０２）。そして受信信号処理部１１２のページング処理部１１３は、呼び出し信号を解析し、自装置宛ての着信が有れば、その旨を通信制御部１４へ通知する。
【００５０】
一方、プロセッサ７がサスペンド状態でなければ（ステップＳ１０１−Ｎｏ）、通信制御部１４は、呼び出し信号の受信回数を計数するカウンタの数nが、測定周期Mに相当する回数mと一致するか否か判定する（ステップＳ１０３）。nがmと異なる場合（ステップＳ１０３−Ｎｏ）、通信制御部１４は、受信部１２２及び受信信号処理部１１２をウェイクアップさせて、基地局装置から呼び出し信号を含む無線信号を受信する（ステップＳ１０４）。そしてページング処理部１１３は、呼び出し信号を解析し、自装置宛ての着信が有れば、その旨を通信制御部１４へ通知する。また通信制御部１４は、nを1インクリメントする（ステップＳ１０４）。
【００５１】
一方、nがmと等しい場合（ステップＳ１０３−Ｙｅｓ）、通信制御部１４は、受信部１２２及び受信信号処理部１１２をウェイクアップさせて、基地局装置から呼び出し信号及び測定用フレームを含む無線信号を受信する（ステップＳ１０６）。そして信号品質測定部１１４は、測定用フレームに含まれるダウンリンクのサブフレーム内のプリアンブルなどに基づいてRSSI及びCINRを測定し、その測定結果を通信制御部１４へ通知する。またページング処理部１１３は、呼び出し信号を解析し、自装置宛ての着信が有れば、その旨を通信制御部１４へ通知する。そして通信制御部１４は、nを1にリセットする（ステップＳ１０７）。
【００５２】
ステップＳ１０２、Ｓ１０５またはＳ１０７の後、通信制御部１４は、自装置宛ての着信が有ると通知されたか否かを判定する（ステップＳ１０８）。
着信がなければ（ステップＳ１０８−Ｎｏ）、通信制御部１４は、基地局装置からの無線信号を受信できないアンアベイラブルインターバルへ移行し、受信部１２２及び受信信号処理部１１２への電源供給を停止させる（ステップＳ１０９）。一方、着信が有れば（ステップＳ１０８−Ｙｅｓ）、通信制御部１４は、アクティブモードへ移行する（ステップＳ１１０）。そして通信制御部１４は、無線通信処理を開始する。
ステップＳ１０９またはＳ１１０の後、通信制御部１４は、受信処理を終了する。
【００５３】
電源制御部１５は、通信制御部１４からの制御信号に応じて、電源９から供給された電力をデータ通信デバイス５の各部に供給または停止するためのスイッチング回路を有する。例えば、アクティブモードでは、電源制御部１５は、電源９から供給された電力を、データ通信デバイス５が有する各部のうち、電力供給を必要とするもの全てへ電力を供給する。
一方、アイドルモードの実行中でかつリスニングインターバルの期間中では、電源制御部１５は、呼び出し信号を含む無線信号の受信及びページング処理を実行するために必要な各部、すなわち、通信制御部１４、受信部１２２、受信信号処理部１１２にのみ電力を供給する。ただし、リスニングインターバルの期間中でも、信号品質の測定を行わないタイミングでは、電源制御部１５は、信号品質測定部１１４へ電力供給しなくてよい。
また、アイドルモードの実行中でかつアンアベイラブルインターバルの期間中では、電源制御部１５は、通信制御部１４にのみ電力供給してもよい。
【００５４】
なお、データ通信デバイス５も、クロック制御部（図示せず）を有してもよい。この場合、クロック制御部は、アンアベイラブルインターバルの期間中にデータ通信デバイス５の各部に供給するクロック信号の周波数を、リスニングインターバルの期間中、またはアクティブモードの実行中に各部に供給するクロック信号の周波数よりも遅くしてもよい。
【００５５】
以上に説明してきたように、この移動局装置は、データ通信デバイスがアイドルモードの実行中であり、かつプロセッサがサスペンド状態でない場合、基地局装置から受信した無線信号の品質測定の周期をページング周期よりも長くする。そのため、この移動局装置は、無線信号の品質測定の回数を減らせるので、その結果として、無線信号の品質測定に関する処理に要する消費電力を抑制できる。さらに、この移動局装置は、データ通信デバイスがアイドルモードの実行中であり、かつ、プロセッサがサスペンド状態にある場合には、無線信号の品質測定を行わない。これにより、この移動局装置は、消費電力をより抑制できる。
【００５６】
なお、本発明は上記の実施形態に限定されるものではない。例えば、変形例によれば、データ通信デバイスの通信制御部は、アイドルモードの実行中において、プロセッサがサスペンド状態にある場合、プロセッサがサスペンド状態でない場合の信号品質測定周期よりも長い周期で、信号品質測定部に無線信号の品質を測定させてもよい。この場合、プロセッサがサスペンド状態である場合の無線信号品質の測定頻度は、プロセッサがサスペンド状態でない場合の無線信号品質の測定頻度よりも少なくなるので、通信制御部は、プロセッサがサスペンド状態にある場合のデータ通信デバイスの消費電力を低減できる。あるいは、通信制御部は、アイドルモードの実行中において、プロセッサがサスペンド状態か否かにかかわらず、ページング周期の複数倍の周期で信号測定部に、無線信号の品質を測定させてもよい。
【００５７】
さらに他の変形例によれば、データ通信デバイスは、他の無線通信規格、例えば、Long Term Evolution(LTE)に準拠して基地局装置との間の無線通信を実行してもよい。特に、データ通信デバイスは、音声通信とデータ通信の両方を可能な規格に準拠している場合、データ通信デバイスが、音声通信とデータ通信の両方を行ってもよい。そのため、音声通信部は省略されてもよい。この場合も、アイドルモードの実行中、データ通信デバイスは、ページング周期の複数倍の周期で無線信号の品質を測定する。
【００５８】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【符号の説明】
【００５９】
１    移動局装置
２    ユーザインターフェース部
３    インターフェース部
４    記憶部
５    データ通信デバイス
６    音声通信部
７    プロセッサ
８    クロック制御部
９    電源
１０    電源制御部
１１    ベースバンド処理部
１１１    送信信号処理部
１１２    受信信号処理部
１１３    ページング処理部
１１４    信号品質測定部
１２    無線処理部
１２１    送信部
１２２    受信部
１３−１、１３−２    アンテナ
１４    通信制御部
１５    電源制御部
【図１】
2013077994.tif 000004
【図２】
2013077994.tif 000005
【図３】
2013077994.tif 000006
【図４】
2013077994.tif 000007
【図５】
2013077994.tif 000008